(57)【要約】【課題】集水口などの目詰まりに起因するバルコニーの浸水発生を早期発見することのできるバルコニー浸水警報装置を提供する。【解決手段】バルコニー浸水警報装置１０は、バルコニー１の集水口７より高く当該バルコニー１の床面６の最高部より低い位置に配置された浸水検知センサ１２と、浸水検知センサ１２が浸水を検知したときに警報音および警報光を発する警報器１３と、を備えている。浸水検知センサ１２は、集水溝８と床面６との段差部１４であって、床面６を構成する下地材３ａと、下地材３ａ，３ｂを被覆する表面材５との間に配置されている。また、浸水検知センサ１２が発した検知信号を警報器１３へ送信するための電線１５が、下地材３ａ，３ｂと表面材５との間に配線されている。【選択図】  図１
2006348608.tif 000002
【特許請求の範囲】
【請求項１】
バルコニーの集水口より高く当該バルコニーの床面の最高部より低い位置に配置された浸水検知センサと、前記浸水検知センサが浸水を検知したときに警報音、警報光の少なくとも一方を発する警報器とを備えたことを特徴とするバルコニー浸水警報装置。
【請求項２】
前記床面を構成する下地材と、前記下地材を被覆する表面材との間に前記浸水検知センサを配置した請求項１記載のバルコニー浸水警報装置。
【請求項３】
前記集水口に雨水を誘導するための集水溝を設け、前記集水溝と前記床面との段差部に前記浸水検知センサを配置した請求項１または２記載のバルコニー浸水警報装置。
【発明の詳細な説明】
【技術分野】
【０００１】
本発明は、建築物のバルコニーにおいて雨水などによる浸水が発生したときに警報を発する装置に関する。
【背景技術】
【０００２】
建築物の一部に設けられるバルコニーは、従来、様々な構造、デザインのものが提案されているが、本願に関連するバルコニーとして、例えば、図３に示すような構造のものがある。図３に示すバルコニー５０においては、建築物の躯体５１の上に下地材５２を傾斜状に敷設し、この下地材５２を被覆するように非透水性の表面材５３を敷設することによって床面５４が形成されている。床面５４の前縁部より前方には雨水などを集水口５５に誘導するための集水溝５６が設けられ、この集水溝５６の前方にパラペット５７が立設されている。
【０００３】
図３に示すバルコニー５０において、床面５４などに降り注いだ雨水などは、その傾斜面に沿って流下して集水溝５６に流れ込んだ後、集水口５５から排水管５８に流入して排水経路（図示せず）に排出される。ところが、樹木の落ち葉や塵埃などの異物５９によって集水口５５が塞がれると、雨水Ｗが排出されなくなって集水溝５６に溜まるため、やがて、バルコニー５０の外へ溢れ出たり、表面材５３と下地材５２との隙間に浸入したりすることがある。バルコニー５０の外へ溢れ出した雨水は建築物の外壁などを汚すことが多く、表面材５３と下地材５２との隙間に浸入した雨水は下地材５２などに染み込んで腐食の原因となる。
【０００４】
このように、バルコニーの集水口が詰まって排水不良が生じると、バルコニーが浸水するため、建築物を劣化させる大きな要因の一つとなっている。そこで、雨水などによるバルコニーの浸水を防止するため、集水口が目詰まりしても雨水などの排水処理を可能とした排水設備構造が提案されている（例えば、特許文献１参照。）。
【０００５】
【特許文献１】特開平８−１９３３９３号公報
【発明の開示】
【発明が解決しようとする課題】
【０００６】
特許文献１に記載の排水設備構造においては、バルコニーの集水口が目詰まりしたときに雨水などが溢れるのを防止することはできるが、バルコニーの床面の浸水を防止することはできない。このため、木造建築物のバルコニーのように、床面の構成部材として木材が使用されている場合、浸水による腐食発生を防止することができない。
【０００７】
本発明が解決しようとする課題は、集水口の目詰まりに起因するバルコニーの浸水発生を早期発見することのできるバルコニー浸水警報装置を提供することにある。
【課題を解決するための手段】
【０００８】
本発明のバルコニー浸水警報装置は、バルコニーの集水口より高く当該バルコニーの床面の最高部より低い位置に配置された浸水検知センサと、前記浸水検知センサが浸水を検知したときに警報音、警報光の少なくとも一方を発する警報器とを備えたことを特徴とする。このような構成とすれば、バルコニーの集水口に異物が詰まって雨水などが溜まると、浸水検知センサがそれを検知して、警報器が警報音や警報光を発するため、集水口の目詰まりに起因するバルコニーの浸水発生を早期発見することができる。
【０００９】
この場合、前記床面を構成する下地材と、前記下地材を被覆する表面材との間に前記浸水検知センサを配置することが望ましい。このような構成とすれば、浸水発生時に雨水が染み込みやすい部分に浸水検知センサが位置することとなるため、浸水発生を的確に検知することができる。また、浸水検知センサが表面材で被覆された状態となるため、日光や降雨などから浸水検知センサを保護することができる。
【００１０】
また、前記集水口に雨水を誘導するための集水溝を設け、前記集水溝と前記床面との段差部に前記浸水検知センサを配置することもできる。このような構成とすれば、バルコニーに降った雨水などを効率良く集水溝を通じて集水口へ誘導することができ、集水口が詰まったとき発生する雨水の貯留が床面に及ぶ前に検知することができるため、浸水の早期発見に有効である。
【発明の効果】
【００１１】
本発明により、集水口の目詰まりに起因するバルコニーの浸水発生を早期発見することができる。
【発明を実施するための最良の形態】
【００１２】
以下、図面に基づいて、本発明の実施形態について説明する。図１は本発明の実施形態であるバルコニー浸水防止装置を示す概略構成図、図２は図１の一部拡大図である。
【００１３】
図１に示すように、バルコニー１は、建築物の躯体２の上に配置された段階的に太さの異なる４本の横行部材４ａ，４ｂ，４ｃ，４ｄの上に、平板状をした複数の下地材３ａ，３ｂを傾斜状に２層敷設し、これらの下地材３ａ，３ｂを被覆するように非透水性の表面材５を敷設することによって床面６が形成されている。床面６の前縁部より前方には雨水などを集水口７に誘導するための集水溝８が設けられ、この集水溝８の前方にパラペット９が立設されている。集水口７の下方には排水管１１が配管され、集水口７に流入した雨水などは排水管１１を通じて排水経路（図示せず）へ排出される。
【００１４】
また、パラペット９には、集水溝８に溜まった雨水を排出するためのオーバーフロー用の排水路１７がパラペット９を貫通した状態で複数設けられ、パラペット９の外面に位置するオーバーフロー用の排水路１７の開口部には雨水を下方へ流下させるためのエルボ管１８が連通されている。排水路１７は、後述する浸水検知センサ１２よりも低い位置に設けられている。
【００１５】
図１，図２に示すように、本実施形態のバルコニー浸水警報装置１０は、バルコニー１の集水口７より高く当該バルコニー１の床面６の最高部６ｈより低い位置に配置された浸水検知センサ１２と、浸水検知センサ１２が浸水を検知したときに警報音および警報光を発する警報器１３とを備えている。浸水検知センサ１２は、集水溝８と床面６との段差部１４であって、床面６を構成する下地材３ａと、下地材３ａ，３ｂを被覆する表面材５との間に配置されている。また、浸水検知センサ１２が発した検知信号を警報器１３へ送信するための電線１５が、下地材３ａ，３ｂと表面材５との間に配線されている。
【００１６】
警報器１３は、警報音を発するスピーカ１３ａと、警報光を発する警報灯１３ｂと、バルコニー浸水警報装置１０をＯＮ・ＯＦＦするための電源スイッチ１３ｃと、警報音および警報光を発している警報器１３をリセットするためのリセットスイッチ１３ｄとを備えている。警報器１３の設置場所は特に限定しないが、建築物内部において居住者が警報音を聞いたり、警報光を見たりし易い場所に設置することが望ましい。
【００１７】
図１に示すように、樹木の落ち葉、飛来物あるいは塵埃などの異物が集水口７に詰まっていない状態においては、床面６に降り注いだ雨水などはその傾斜面に沿って流下して、集水溝８へ落下した後、集水口７へ流れ込み、排水管１１を通じて排出されるため、浸水が発生することはない。
【００１８】
ここで、図２に示すように、集水口７に異物１６ａが詰まると、床面６から流れ込んだ雨水Ｗが集水溝８に溜まり、その水位が徐々に上昇するが、パラペット９にオーバーフロー用の排水路１７が設けられているため、水位が排水路１７に達すると、集水溝８に溜まった雨水は排水路１７を通じてパラペット９の外面側へ排出される。排水路１７は浸水検知センサ１２よりも低い位置に設けられているため、排水路１７からの排水がスムーズに行われている限り、集水溝８内に溜まる雨水Ｗの水位が浸水検知センサ１２に達することはない。
【００１９】
ところが、集水溝８内に溜まる雨水Ｗの水面に浮くような比較的軽い異物１６ａがあると、それらが排水路１７を塞いで、排水路１７からの排水が不良若しくは不能となることがある。この場合、集水溝８内の雨水Ｗの水位は徐々に上昇していくが、雨水Ｗの水位が浸水検知センサ１２に達すると、浸水検知センサ１２がそれを検知し、電線１５を通じて検知信号を警報器１３へ送信する。これにより、警報器１３のスピーカ１３ａが警報音を発するとともに、警報灯１３ｂが警報光を発するため、居住者は集水口７および排水路１７の目詰まりに起因するバルコニー１の浸水が発生したことを発見することができる。
【００２０】
警報器１３が発する警報音などにより浸水発生を知った居住者がバルコニー１へ行き、排水路１７の異物１６ｂおよび集水口７の異物１６ａなどを除去して、目詰まりの原因をなくせば、集水溝８内の雨水Ｗは排水路１７および集水口７を通じて排出されるため、速やかに浸水を解消することができる。従って、集水溝８に貯留した雨水Ｗが下地材３ａ，３ｂなどに染み込んで腐植させたり、集水溝８の端部などから雨水Ｗが溢れ出て建築物の壁面などを汚したりすることがなくなる。従って、バルコニー１の浸水に起因する建築物の劣化を防止することができる。
【００２１】
本実施形態では、床面６を構成する下地材３ａ，３ｂと、下地材３ａ，３ｂを被覆する表面材５との間に浸水検知センサ１２および電線１５を配置している。従って、浸水発生時に雨水Ｗが染み込みやすい部分に浸水検知センサ１２が位置することとなるため、浸水発生を的確に検知することができる。また、浸水検知センサ１２および電線１５が表面材５で被覆された状態となるため、日光や降雨などから浸水検知センサ１２および電線１５を保護することができ、耐久性も良好である。
【００２２】
また、床面６の前縁部の前方に集水溝８を設けるとともに、浸水検知センサ１２は集水溝８と床面６との段差部１４に配置している。このため、床面６に降った雨水など水滴Ｗ１を効率良く集水溝８を通じて集水口７へ誘導することが可能であり、また、集水口７が詰まったとき発生する雨水Ｗの貯留が床面６に及ぶ前に検知することができるため、浸水の早期発見に有効である。
【産業上の利用可能性】
【００２３】
本発明のバルコニー浸水防止装置は、木造建築物のバルコニーなどにおいて広く利用することができる。
【図面の簡単な説明】
【００２４】
【図１】本発明の実施形態であるバルコニー浸水防止装置を示す概略構成図である。
【図２】図１の一部拡大図である。
【図３】従来のバルコニーを示す概略構成図である。
【符号の説明】
【００２５】
１  バルコニー
２  躯体
３ａ，３ｂ  下地材
４ａ，４ｂ，４ｃ，４ｄ  横行部材
５  表面材
６  床面
６ｈ  最高部
７  集水口
８  集水溝
９  パラペット
１０  バルコニー浸水警報装置
１１  排水管
１２  浸水検知センサ
１３  警報器
１３ａ  スピーカ
１３ｂ  警報灯
１３ｃ  電源スイッチ
１３ｄ  リセットスイッチ
１４  段差部
１５  電線
１６ａ，１６ｂ  異物
１７  排水路
１８  エルボ管
Ｗ１  水滴
Ｗ  雨水
【図１】
2006348608.tif 000003
【図２】
2006348608.tif 000004
【図３】
2006348608.tif 000005